(57)【要約】【課題】  様々な入力端子を設置してもプロジェクタの小型化を図ることが可能な接続ケーブル及びその接続ケーブルを接続するプロジェクタを提供する。【解決手段】  映像を投写するプロジェクタ２００とプロジェクタ２００に映像信号を供給する電子機器とを電気的接続する接続ケーブル１００は、複数の規格コネクタ１１０（Ｄsub端子コネクタ１１１、Ｓ端子コネクタ１１２、１ＲＣＡ端子コネクタ１１３）と、複数の規格コネクタ１１０の信号線を集合する一つの集合コネクタ１２０と、信号線を収容する収容ケーブル部１３０とを有して構成され、規格コネクタ１１０は、電子機器に接続され規格コネクタ１１０と対をなすコネクタを有する規格ケーブル６００（コンピュータケーブル６１０、Ｓビデオケーブル６２０、ビデオケーブル６３０）と接続し、集合コネクタ１２０は、プロジェクタ２００に設置される集合コネクタ１２０と対をなすコネクタと接続する。【選択図】      図２
2006331842.tif 000002
【特許請求の範囲】
【請求項１】
映像を投写するプロジェクタと当該プロジェクタに映像信号を供給する電子機器とを電気的に接続する接続ケーブルであって、
前記接続ケーブルは、複数の規格コネクタと、当該規格コネクタの信号線を集合する一つの集合コネクタと、信号線を収容する収容ケーブル部とを有して構成され、
前記規格コネクタは、前記電子機器に接続され前記規格コネクタと対をなすコネクタを有する規格ケーブルと接続され、
前記集合コネクタは、前記プロジェクタに設置される前記集合コネクタと対をなすコネクタと接続されることを特徴とする接続ケーブル。
【請求項２】
請求項１に記載の接続ケーブルであって、
前記接続ケーブルは、前記プロジェクタの本体の底面側の側面領域に接続されることを特徴とする接続ケーブル。
【請求項３】
請求項１または請求項２に記載の接続ケーブルであって、
前記接続ケーブルは、当該接続ケーブルを前記プロジェクタの本体に接続して前記プロジェクタを被載置面に載置するとき、前記プロジェクタを載置するための補助を行わせる補助部を有していることを特徴とする接続ケーブル。
【請求項４】
請求項３に記載の接続ケーブルであって、
前記補助部は、吸盤付きの補助部であることを特徴とする接続ケーブル。
【請求項５】
請求項１〜請求項４のいずれか一項に記載の接続ケーブルであって、
前記収容ケーブル部は、硬度が低い外皮で構成されていることを特徴とする接続ケーブル。
【請求項６】
請求項１〜請求項５のいずれか一項に記載の接続ケーブルを接続されるプロジェクタであることを特徴とするプロジェクタ。
【発明の詳細な説明】
【技術分野】
【０００１】
本発明は、プロジェクタとプロジェクタに画像データを供給する電子機器とを接続する接続ケーブルに関する。
【背景技術】
【０００２】
従来から、プロジェクタは、例えばＰＣ（パーソナルコンピュータ）やビデオデッキなど、複数の外部電子機器と接続ケーブルにより接続され、様々な形式の映像信号を供給されて、プレゼンテーション用にＰＣで作成された資料などの映像を投写したり、ビデオテープに録画された映画などの映像を投写したりすることで利用されてきている。例えば、特許文献１のリアプロジェクタは、上記の様々な外部電子機器と接続するための複数の入力端子を備えている。
【０００３】
【特許文献１】特開２００３−２７４３１６号公報（第９図）
【発明の開示】
【発明が解決しようとする課題】
【０００４】
しかしながら、プロジェクタなどにおいて、様々な形式の映像信号を入力するためには、例えばＰＣなどと接続するためのＤsub端子、また、ビデオデッキなどと接続するためのＳ端子やコンポジット（１ＲＣＡ）端子、また、ＤＶＤ（Digital Versatile Disk）プレーヤなどと接続するためのコンポーネント（３ＲＣＡ）端子やＤ端子など、映像信号に応じて規格化された様々な入力端子を設置することが必要となる。
【０００５】
それにより、プロジェクタなどにおいて、様々な入力端子を設置するために必要となる筐体及び筐体内部における面積や体積は大型化してしまう。従って、様々な入力端子を設置することが、プロジェクタを携帯使用できるサイズに小型化する場合の阻害要因になるという課題がある。
【０００６】
本発明は、上記課題に鑑みてなされたものであり、様々な入力端子を設置してもプロジェクタの小型化を図ることが可能な接続ケーブル及びその接続ケーブルを接続するプロジェクタを提供することを目的とする。
【課題を解決するための手段】
【０００７】
上述した目的を達成するために、本発明は、映像を投写するプロジェクタとプロジェクタに映像信号を供給する電子機器とを電気的に接続する接続ケーブルであって、接続ケーブルは、複数の規格コネクタと、規格コネクタの信号線を集合する一つの集合コネクタと、信号線を収容する収容ケーブル部とを有して構成され、規格コネクタは、電子機器に接続され規格コネクタと対をなすコネクタを有する規格ケーブルと接続され、集合コネクタは、プロジェクタに設置される集合コネクタと対をなすコネクタと接続されることを特徴とする。
【０００８】
このような接続ケーブルによれば、様々な電子機器に有する複数の規格コネクタと接続する信号線を一つの集合コネクタに集合してプロジェクタと接続することにより、プロジェクタの本体に複数の規格コネクタを設置する必要があった従来に対して、一つの集合コネクタで対応することが可能となる。また、プロジェクタは、一つの集合コネクタと対をなす一つのコネクタを設置するだけで、規格コネクタからの信号線による信号を伝達される。従って、プロジェクタの本体に集合コネクタを有する接続ケーブルを接続することにより、従来のように広い面積や体積を必要としないため、プロジェクタの小型化が実現可能となる。
【０００９】
ここで、規格コネクタとは、規格化され市販されている通常の接続端子を有するコネクタを総称して使用している。規格コネクタは、例えばＤsub端子、Ｓ端子、コンポジット（１ＲＣＡ）端子、コンポーネント（３ＲＣＡ）端子などに対応したコネクタを示している。また、集合コネクタとは、複数の規格コネクタと接続した各端子の信号線を集合して一つにまとめるために信号線の配列や端子形状やコネクタ形状などを専用に設計し製造したカスタム対応のコネクタを言う。
【００１０】
上記接続ケーブルにおいて、接続ケーブルは、プロジェクタの本体の底面側の側面領域に接続されることが好ましい。
【００１１】
このような接続ケーブルによれば、接続ケーブルは、プロジェクタ本体の底面側の側面領域に接続されるため、小型化されたプロジェクタを接続ケーブルに影響されずに安定して机上面などの被載置面に載置することができる。
【００１２】
上記接続ケーブルにおいて、接続ケーブルをプロジェクタ本体に接続してプロジェクタを被載置面に載置するとき、載置するための補助を行わせる補助部を有していることが好ましい。
【００１３】
このような接続ケーブルによれば、接続ケーブルに補助部を有したことにより、接続ケーブルをプロジェクタ本体に接続してプロジェクタを机上面などの被載置面に載置する場合、安定してプロジェクタを載置できる。
【００１４】
上記接続ケーブルにおいて、補助部は、吸盤付きの補助部であることが好ましい。
【００１５】
このような接続ケーブルによれば、吸盤を利用して机上面などの被載置面に接続ケーブルを載置及び固定することにより、プロジェクタを安定して机上面などの被載置面に載置でき、安定した映像を投写させることが可能となる。
【００１６】
上記接続ケーブルにおいて、収容ケーブル部は、硬度が低い外皮で構成されていることが好ましい。
【００１７】
このような接続ケーブルによれば、収容ケーブル部は、硬度が低い外皮で構成されるため、収容ケーブル部が柔らかくなり、小型化されたプロジェクタに接続ケーブルを接続して机上面などに載置しても、接続ケーブルの硬さの影響を与えずに安定して載置できる。
【００１８】
上述した目的を達成するために、本発明は、プロジェクタであって、上記接続ケーブルを接続されることを特徴とする。
【００１９】
このようなプロジェクタによれば、上記の接続ケーブルを接続されることにより、コネクタを設置するための広い面積や体積を必要としないため、プロジェクタの小型化が実現可能となる。
【発明を実施するための最良の形態】
【００２０】
以下、本発明の実施形態を図面に基づいて説明する。
（第１実施形態）
【００２１】
図１は、本発明の第１実施形態に係る接続ケーブルを用いた接続状態を示す概略図である。図１を用いて、接続ケーブル１００とプロジェクタ２００及び複数の電子機器との接続関係を説明する。
【００２２】
図１に示すように、接続ケーブル１００は、ＰＣ（パーソナルコンピュータ）３００、Ｓビデオ（Ｓ信号ビデオテープレコーダ）４００、ビデオ（ビデオテープレコーダ）５００などの外部の電子機器と接続される。そして、接続ケーブル１００は、プロジェクタ２００と接続される。これにより、接続ケーブル１００は、接続された電子機器から供給される映像信号をプロジェクタ２００に伝達している。また、プロジェクタ２００は、伝達された映像信号によりスクリーン７００に対して映像として投写する。なお、本実施形態でのプロジェクタ２００の概略外形サイズは、縦×横×高さとして、１５０ｍｍ×１２０ｍｍ×３０ｍｍであり、小型の外形サイズとなっている。また、スクリーン７００は、机上面に自立可能なスクリーン７００であるが、これには限定されず、壁などに設置されるスクリーンや、壁をスクリーンとして使用することでも良い。
【００２３】
接続ケーブル１００は、プロジェクタ２００の本体の底面側の側面領域２１０に接続されている。底面側の側面領域２１０とは、プロジェクタ２００の外装を構成する筐体の高さ方向の概略中心より下側（底面側）の領域（図中の斜線で示す領域）である。
【００２４】
図１において、ＰＣ３００から供給される映像信号の形式はアナログＲＧＢ信号であり、接続ケーブル１００とＰＣ３００との接続は、規格ケーブル６００であるコンピュータケーブル６１０で接続される。そして、プロジェクタ２００は、接続ケーブル１００から伝達されたアナログＲＧＢ信号により、プレゼンテーション用にＰＣ３００で作成された資料などの映像を投写する。なお、アナログＲＧＢ信号は、光の３原色であるＲ（赤）、Ｇ（緑）、Ｂ（青）成分ごとの映像信号を独立した信号線により伝達する。
【００２５】
Ｓビデオ４００から供給される映像信号の形式はＳ（Separate）信号であり、接続ケーブル１００とＳビデオ４００との接続は、規格ケーブル６００であるＳビデオケーブル６２０で接続される。そして、プロジェクタ２００は、接続ケーブル１００から伝達されたＳ信号により、Ｓビデオ４００のビデオテープに録画された映画などの映像を投写する。なお、Ｓ信号は、輝度情報を持つ信号と色情報を持つ信号とを分離して伝達する。
【００２６】
ビデオ５００から供給される映像信号の形式はコンポジット信号であり、接続ケーブル１００とビデオ５００との接続は、規格ケーブル６００であるビデオケーブル６３０で接続される。そして、プロジェクタ２００は、接続ケーブル１００から伝達されたコンポジット信号により、例えばビデオ５００を介してＴＶ放送を受信し、受信した映像を投写する。なお、コンポジット信号は、輝度情報を持つ信号と色情報を持つ信号とを混合して伝達する。
【００２７】
図２は、接続ケーブルを示す斜視図である。接続ケーブル１００の構成に付いて、図２を主体として、図１を適宜交えて説明する。
【００２８】
図２に示すように、接続ケーブル１００は、本実施形態においては、Ｄsub端子コネクタ１１１とＳ端子コネクタ１１２と１ＲＣＡ端子コネクタ１１３との規格コネクタ１１０と、集合コネクタ１２０と、収容ケーブル部１３０とを有して構成される。
【００２９】
Ｄsub端子コネクタ１１１は、ＰＣ３００とコンピュータケーブル６１０で接続する場合のアナログＲＧＢ信号用のコネクタとして用いられる。そして、Ｄsub端子コネクタ１１１は、対をなす、コンピュータケーブル６１０の有するコネクタ６１１とかん合する。Ｄsub端子コネクタ１１１は、詳細には、ミニＤ-sub１５ピンを用いている。そして、端子は、ＲＧＢ成分ごとの映像信号、水平同期信号、垂直同期信号、ディスプレイとのデータ通信ポートＤＤＣ（Display Data Channel）のデジタル信号などが割り当てられている。
【００３０】
Ｓ端子コネクタ１１２は、Ｓビデオ４００とＳビデオケーブル６２０で接続する場合のＳ信号用のコネクタとして用いられる。そして、Ｓ端子コネクタ１１２は、対をなすＳビデオケーブル６２０の有するコネクタ６２１とかん合する。
【００３１】
１ＲＣＡ端子コネクタ１１３は、ビデオ５００とビデオケーブル６３０で接続する場合のコンポジット信号用のコネクタとして用いられる。１ＲＣＡ端子コネクタ１１３は、対をなす、ビデオケーブル６３０の有するコネクタ６３１とかん合する。
【００３２】
集合コネクタ１２０は、３種類の規格コネクタ１１０（Ｄsub端子コネクタ１１１、Ｓ端子コネクタ１１２、１ＲＣＡ端子コネクタ１１３）による信号線を集合して一つのコネクタとしたものである。集合コネクタ１２０の端子は、Ｄsub端子からのアナログＲＧＢ信号を伝達する信号線用の端子部と、Ｓ端子からのＳ信号を伝達する信号線用の端子部と、１ＲＣＡ端子からのコンポジット信号を伝達する信号線用の端子部とを有して構成されている。集合コネクタ１２０は、外形も厚さ５ｍｍ程度、横幅２０ｍｍ程度と小型で、雌タイプの端子構造を有する構成となっている。
【００３３】
なお、プロジェクタ２００に設置される集合コネクタ１２０と対をなす（かん合する）コネクタ（図示省略）は、雄タイプの端子構造を有するコネクタであり、プロジェクタ２００の本体内に設置される回路基板（図示省略）に実装される。
【００３４】
収容ケーブル部１３０は、Ｄsub端子コネクタ１１１の信号線を収容するケーブル１３１と、Ｓ端子コネクタ１１２の信号線を収容するケーブル１３２と、１ＲＣＡ端子コネクタ１１３の信号線を収容するケーブル１３３とを、接続部１３５で合わせて１本のケーブル１３４として集合させている。そして、集合コネクタ１２０を構成する上述した端子部の使用割当てに応じて、集合した各信号線を、対応する各端子部に接続している。
【００３５】
なお、集合コネクタ１２０と対をなすコネクタを実装する回路基板は、基板上の配線により、同一形式である映像信号の信号線同士を隣接させるように各信号線を分けて、信号を処理する回路素子（図示省略）に入力させている。
【００３６】
なお、回路基板に実装される回路素子による映像信号処理は、アナログＲＧＢ信号の映像信号に対しては、Ａ／Ｄ変換処理を行いアナログ信号をデジタル信号に変換して次工程の画像処理に進んでいく。また、Ｓ信号やコンポジット信号の映像信号に対しては、デコーダ（図示省略）により一度コンポーネント信号に変換してから、Ａ／Ｄ変換処理を行い次工程の画像処理に進んでいく。
【００３７】
上述した、第１実施形態によれば以下の効果が得られる。
（１）接続ケーブル１００は、Ｄsub端子コネクタ１１１、Ｓ端子コネクタ１１２、１ＲＣＡ端子コネクタ１１３の規格コネクタ１１０と接続するＰＣ３００、Ｓビデオ４００、ビデオ５００などの外部の電子機器の信号線を一つの集合コネクタ１２０に集合してプロジェクタ２００と接続する。これにより、プロジェクタの本体に複数の規格コネクタを設置する必要があった従来に対して、一つの集合コネクタ１２０で対応することが可能となる。また、プロジェクタ２００は、一つの集合コネクタ１２０と対をなす一つのコネクタを設置することで、アナログＲＧＢ信号、Ｓ信号、及び、コンポジット信号の形式の異なる信号を伝達される。従って、プロジェクタ２００本体に集合コネクタ１２０を有する接続ケーブル１００を接続することにより、従来のようにプロジェクタ２００のコネクタ接続部分や、プロジェクタ２００の本体内部の回路基板に占めるコネクタの実装及び配線のために広い面積や体積を必要としないため、プロジェクタの小型化が実現可能となる。
【００３８】
（２）接続ケーブル１００のプロジェクタ２００との接続位置は、プロジェクタ２００の本体の底面側の側面領域２１０に接続されることにより、小型化されたプロジェクタ２００を接続ケーブル１００に影響されずに安定して机上面などの被載置面に載置することができる。
（第２実施形態）
【００３９】
図３は、本発明の第２実施形態に係る接続ケーブルに補助部として吸盤付き補助部を用いた状態を示す概略図である。図３を用いて、吸盤付き補助部８１０の構成と動作を説明する。
【００４０】
図３に示すように、補助部８００として吸盤付き補助部８１０を用いている。吸盤付き補助部８１０は、接続ケーブル１００の収容ケーブル部１３０を形成するケーブル１３４の部分に、ケーブル１３４の外皮を覆う形で設置され、ケーブル１３４の方向をある程度規制できる円筒状の固定部８１１と吸盤としての吸盤部８１２とを有して構成されている。
【００４１】
吸盤付き補助部８１０の具体的な使用方法として、ユーザは、プロジェクタ２００に接続ケーブル１００を接続した後、プロジェクタ２００を例えば机上面９００のユーザの考える場所に載置し、接続ケーブル１００のケーブル１３４を接続ケーブル１００の接続方向に平行に伸ばして、吸盤部８１２を机上面に吸着させて使用する。
【００４２】
上述した、第２実施形態によれば以下の効果が得られる。
（１）吸盤付き補助部８１０により、接続ケーブル１００及び接続ケーブル１００が接続する規格ケーブル６００などの腰が強い場合に、その腰の強さに影響されることなく、接続ケーブル１００を机上面９００に載置及び固定することができる。従って、小型なプロジェクタ２００であっても、安定して机上面９００などの被載置面に載置でき、安定した映像を投写させることが可能となる。
【００４３】
なお、本発明は、上述した実施形態に限定されず、種々の変更や改良など加えることが可能である。変形例を以下に述べる。
【００４４】
（変形例１）前記実施形態において、集合コネクタ１２０は、雌タイプの端子構造を有し、プロジェクタ２００の本体に設置するコネクタは、雄タイプの端子構造を有して、お互いにかん合する構成となっている。しかし、これに限らず、集合コネクタ１２０は、雄タイプの端子構造を有し、プロジェクタ２００の本体に設置するコネクタは、雌タイプの端子構造を有して、お互いにかん合する構成としても良い。
【００４５】
（変形例２）前記第２実施形態において、補助部８００として吸盤付き補助部８１０を用いている。しかし、これに限らず、補助部８００として、ノイズフィルタとしての、フェライトコアをケーブル１３４に設置しても良い。フェライトコアの種類としては、円筒状のコアであり、リングタイプや、シリンダタイプのコア、及び、シリンダタイプを２つに分割して取り付けるタイプのコアを有するものを用いるのが好ましい。これにより、信号線を介してのノイズの漏洩や進入の防止（ＥＭＩ（Electro Magnetic Interference）対策）を図ることができるのと併せて、フェライトコアの重量により接続ケーブル１００を安定して机上面９００などに載置できる。
【００４６】
（変形例３）前記実施形態において、接続ケーブル１００は、アナログＲＧＢ信号、Ｓ信号及びコンポジット信号の信号形式に対応させている。しかし、これに限らず、コンポーネント信号に対応させて、Ｄ端子を有するコネクタを用いて、Ｄ端子ケーブルを接続させても良い。また、同様に、コンポーネント信号に対応させて、３ＲＣＡ端子を有するコネクタを用いて、コンポーネントケーブルを接続させても良い。その他の端子形状の異なるコネクタを接続させても良い。接続ケーブル１００の規格コネクタ１１０として何を設置するかは、プロジェクタ２００とどのような外部電子機器とを組合わせるか等を考慮して適宜組合わせることで良い。なお、前記実施形態の接続ケーブル１００に上記Ｄ端子ケーブルまたはコンポーネントケーブルを接続させるコネクタを付加することにより、殆どの外部電子機器と接続可能となる。
【００４７】
（変形例４）前記実施形態において、接続ケーブル１００の収容ケーブル部１３０は、硬度が低い外皮で構成されることが好ましい。このような外皮にすることで、収容ケーブル部１３０が柔らかくなり、小型化されたプロジェクタ２００に接続ケーブル１００を接続して机上面９００などに載置しても、接続ケーブル１００の硬さによる影響をプロジェクタ２００に与えずに安定して載置できる。なお硬度の低い外皮は、ＵＬ規格（UnderWriters Laboratories Inc.：製品の安全性（感電、火災等の危険防止）の評価認証規格）で認定された材質である必要がある。
【００４８】
（変形例５）前記実施形態において、接続ケーブル１００はプロジェクタ２００と電子機器であるＰＣ３００、Ｓビデオ４００及びビデオ５００とを接続している。しかし、これに限らず、入力された映像信号に基づいて映像として表示する画像表示装置と電子機器であるＰＣ３００、Ｓビデオ４００及びビデオ５００などとを接続しても良い。画像表示装置は、例えば、ＬＣＤ（液晶）、有機ＥＬ（Electronic Luminescent）、ＣＲＴ（ブラウン管）、ＳＥＤ（Surface-conduction Electron-emitter Display）、プラズマディスプレイなど各種の表示方式を用いた表示用の画面を有する装置などである。このような接続により、画像表示装置もインターフェイス部周辺の面積や体積を小型化することが可能となる。
【図面の簡単な説明】
【００４９】
【図１】本発明の第１実施形態に係る接続ケーブルを用いた接続状態を示す概略図である。
【図２】接続ケーブルを示す斜視図である。
【図３】本発明の第２実施形態に係る接続ケーブルに補助部として吸盤付き補助部を用いた状態を示す概略図である。
【符号の説明】
【００５０】
１００…接続ケーブル、１１０…規格コネクタ、１１１…Ｄsub端子コネクタ、１１２…Ｓ端子コネクタ、１１３…１ＲＣＡ端子コネクタ、１２０…集合コネクタ、１３０…収容ケーブル部、１３１〜１３４…ケーブル、１３５…接続部、２００…プロジェクタ、２１０…底面側の側面領域、３００…ＰＣ、４００…Ｓビデオ、５００…ビデオ、６００…規格ケーブル、６１０…コンピュータケーブル、６２０…Ｓビデオケーブル、６３０…ビデオケーブル、７００…スクリーン、８００…補助部、８１０…吸盤付き補助部、８１１…固定部、８１２…吸盤部、９００…机上面。
【図１】
2006331842.tif 000003
【図２】
2006331842.tif 000004
【図３】
2006331842.tif 000005